(57)【要約】【課題】背ボトムの上端にヘッドボトムが連結されている場合には、背ボトムを起立動作させる場合に、まず、ヘッドボトムだけを所定角度立ち上げ、続いて背ボトムを起立させる動作が望まれる。【解決手段】電動ベッド１０は、１つの態様においては、背ボトム２５及びヘッドボトム２４が水平に位置する状態において、持ち上げガイド部材３３の本体３４は、背ボトム２５の下面と角度θに開いた状態である。リフト部材が動作を開始すると、本体３４と背ボトム２５の下面との角度θが閉じ、それに伴ってリンク部材３５でヘッドボトム２４が背ボトム２５に対して所定の角度立ち上げられ、その立ち上げ角度が保持された状態で、背ボトム２５が立ち上げられる。【選択図】図５
2019080838.tif 000002
【特許請求の範囲】
【請求項１】
左側枠、右側枠、頭側枠及び足側枠を含み、平面視が矩形をなすベッドフレームと、
前記ベッドフレームの頭側枠寄りに設けられ、下辺、上辺及び左右側辺を有し、平面視が矩形で、前記下辺側の左右両外側部が前記左側枠及び右側枠に回動可能に保持されている背ボトムと、
下辺、上辺及び左右側辺を有し、平面視が左右方向に長手の矩形で、下辺側が前記背ボトムの上辺側と回動可能に連結されているヘッドボトムと、
長手直線状の本体、及び本体の一端に取り付けられ、本体の長手方向に交叉方向に延び出たリンク部材を備え、前記本体の他端は、前記背ボトムの下辺側の下面と回動自在に、下面と所定の角度θをなすように連結されていて、前記本体の一端は、前記リンク部材を介して、前記ヘッドボトムの下面と連結されている持ち上げガイド部材と、
前記ベッドフレームの左側枠及び右側枠間に配置され、電動力で回転される支軸、前記支軸から垂直に突出したアーム、及び、前記アームの先端に設けられた当接部材を含み、前記支軸を中心に前記アームが回転されることにより、前記持ち上げガイド部材の本体下面に対する前記当接部材の当接位置が変化し、前記持ち上げガイド部材を介して前記背ボトムを起伏回動させるリフト部材と、
を含むことを特徴とする、電動ベッド。
【請求項２】
前記持ち上げガイド部材の本体の他端と前記背ボトムの下面とが前記角度θに開いた状態で保持する角度固定部材を有することを特徴とする、請求項１に記載の電動ベッド。
【請求項３】
前記背ボトム及びヘッドボトムが水平に位置する状態において、前記持ち上げガイド部材の本体は、前記背ボトムの下面と前記角度θに開いた状態であり、
前記リフト部材が動作を開始すると、前記本体と背ボトムの下面との角度θが閉じ、それに伴って前記リンク部材で前記ヘッドボトムが背ボトムに対して所定の角度立ち上げられ、その立ち上げ角度が保持された状態で、前記背ボトムが立ち上げられることを特徴とする、請求項１に記載の電動ベッド。
【発明の詳細な説明】
【技術分野】
【０００１】
本発明は、電動ベッドに関する。
【背景技術】
【０００２】
電動ベッドにおいては、背ボトムを伏倒位置と起立位置に電動力で変位させるものが提案されている。
例えば、特許文献１には、背ボトムの起立動作時に背ボトムをヘッド側にスライド移動させるようにした機構が提案されている。
また、特許文献２には、ボトムの稼働機能を連動させる連結棒に調整機能を加えることにより、利用者の望む電動ベッドの起伏動作を実現した電動ベッドが提案されている。
【先行技術文献】
【特許文献】
【０００３】
【特許文献１】特開２０１５−１９２号公報
【特許文献２】特開２０１４−１２０５４号公報
【発明の概要】
【発明が解決しようとする課題】
【０００４】
従来提案されている電動ベッドにおける背ボトムの起立動作は、背ボトムの下辺を中心に背ボトムが起き上がる。このため、側面視で見ると、直線状の背ボトムがその下端を中心に直線状のまま、その起き上がり角度が変化するという構成である。そして、背ボトムの上端にヘッドボトムが連結されている場合であっても、側面視において、背ボトムとヘッドボトムとは直線状に延びた状態で起伏動作がされるものである（例えば、特許文献１を参照）。
【０００５】
ところで、背ボトムの上端にヘッドボトムが連結されている場合には、背ボトムを起立動作させる場合に、まず、ヘッドボトムだけを所定角度立ち上げ、続いて背ボトムを起立させる動作が望まれる場合がある。また、背ボトム及びヘッドボトムが側面視で直線状のまま起立動作をすることが望まれる場合もある。
本発明は、背ボトム及びヘッドボトムの起立動作に関し、利用者の望む態様で起立動作をさせられるように調整できる電動ベッドを提供することを主たる目的とする。
【課題を解決するための手段】
【０００６】
本発明は、上記目的を達成するために、請求項１記載の発明は、左側枠、右側枠、頭側枠及び足側枠を含み、平面視が矩形をなすベッドフレームと、前記ベッドフレームの頭側枠寄りに設けられ、下辺、上辺及び左右側辺を有し、平面視が矩形で、前記下辺側の左右両外側部が前記左側枠及び右側枠に回動可能に保持されている背ボトムと、下辺、上辺及び左右側辺を有し、平面視が左右方向に長手の矩形で、下辺側が前記背ボトムの上辺側と回動可能に連結されているヘッドボトムと、長手直線状の本体、及び本体の一端に取り付けられ、本体の長手方向に交叉方向に延び出たリンク部材を備え、前記本体の他端は、前記背ボトムの下辺側の下面と回動自在に、下面と所定の角度θをなすように連結されていて、前記本体の一端は、前記リンク部材を介して、前記ヘッドボトムの下面と連結されている持ち上げガイド部材と、前記ベッドフレームの左側枠及び右側枠間に配置され、電動力で回転される支軸、前記支軸から垂直に突出したアーム、及び、前記アームの先端に設けられた当接部材を含み、前記支軸を中心に前記アームが回転されることにより、前記持ち上げガイド部材の本体下面に対する前記当接部材の当接位置が変化し、前記持ち上げガイド部材を介して前記背ボトムを起伏回動させるリフト部材と、を含むことを特徴とする、電動ベッドである。
【０００７】
請求項２記載の発明は、前記持ち上げガイド部材の本体の他端と前記背ボトムの下面とが前記角度θに開いた状態で保持する角度固定部材を有することを特徴とする、請求項１に記載の電動ベッドである。
請求項３記載の発明は、前記背ボトム及びヘッドボトムが水平に位置する状態において、前記持ち上げガイド部材の本体は、前記背ボトムの下面と前記角度θに開いた状態であり、前記リフト部材が動作を開始すると、前記本体と背ボトムの下面との角度θが閉じ、それに伴って前記リンク部材で前記ヘッドボトムが背ボトムに対して所定の角度立ち上げられ、その立ち上げ角度が保持された状態で、前記背ボトムが立ち上げられることを特徴とする、請求項１に記載の電動ベッドである。
【発明の効果】
【０００８】
本発明によれば、背ボトムを起立動作させる場合に、まずヘッドボトムを所定角度立ち上げ、続いて背ボトムを起立させる態様としたり、ヘッドボトム及び背ボトムが側面視で直線状のまま、背ボトムを起立させる態様としたり、を簡易に切り換えられ、利用者のニーズに合わせた背ボトムの起伏動作が可能な電動ベッドを提供できる。
【図面の簡単な説明】
【０００９】
【図１】図１は、この発明の一実施形態に係る電動ベッド１０の全体構成を示す斜視図である。
【図２】図２は、電動ベッド１０の骨格をなすベッド躯体２０の斜視図である。
【図３】図３は、ベッド躯体２０の部分斜視図であり、ヘッドボトム２４がヘッドアップしない状態の図である。
【図４】図４は、ベッド躯体２０の部分斜視図であり、ヘッドボトム２４がヘッドアップした状態の図である。
【図５】図５は、電動ベッド１０の動作、特に、背ボトム２５の起立動作と、ヘッドボトム２４の動作との関係を説明するための図解的な側面図である。
【発明を実施するための形態】
【００１０】
図１は、この発明の一実施形態に係る電動ベッド１０の全体構成を示す斜視図である。また、図２は、電動ベッド１０の骨格をなすベッド躯体２０の斜視図である。
図１を参照して説明すると、電動ベッド１０は、ベッドフレーム１１及びベッドフレーム１１に装着されたベッド躯体２０を含んでいる。
ベッドフレーム１１は、一例として木製であり、ヘッドボード１２及びフットボード１３並びにヘッドボード１２及びフットボード１３を接続する左右一対の側枠板１４，１５を含んでいる。ヘッドボード１２、フットボード１３及び左右一対の側枠板１４，１５で構成された平面視矩形の枠体によって保持されるように、枠体内にベッド躯体２０が装着されている。
【００１１】
図２を併せて参照して、ベッド躯体２０は、一例として金属製であり、左側枠２１、右側枠２２、頭側枠２３及び足側枠１９を含んでいて、平面視が矩形の輪郭を有する枠体を構成している。そして、この枠体上には、頭側枠２３の側から足側枠１９の側に向かって、ヘッドボトム２４、背ボトム２５、腰ボトム２６、足上ボトム２７及び足下ボトム２８が配列されている。各ボトム２４，２５，２６，２７，２８は、金属製パイプ等で矩形の輪郭が構成され、その輪郭内に金属ワイヤーが格子状に張られた構成を有している。
【００１２】
そして、この実施形態では、図１に示すように、腰ボトム２６はその両側が左側枠２１及び右側枠２２に固定されており、枠体に対して動かないが、ヘッドボトム２４及び背ボトム２５は、背ボトム２５の下辺を中心に起き上がり得る構成とされている。また足上ボトム２７及び足下ボトム２８も、その連結部が上方へ動くことができ、足上ボトム２７及び足下ボトム２８は、山なりに起き上がり得る構成とされている。
【００１３】
図３及び図４は、ベッド躯体２０の部分斜視図で、ヘッドボトム２４及び背ボトム２５が、背ボトム２５の下辺を中心に起き上がった状態を示す。
図３及び図４を参照して、背ボトム２５は、角パイプ製の下辺２５１、丸パイプ製の左側辺２５２、右側辺２５３及び上辺２５４を有する平面視が矩形の輪郭を有している。下辺２５１の両端から外側に回動支軸２５５が突出している。回動支軸２５５は左右側枠２１，２２の内側面に溶接された受金具２９で回動自在に保持されている。
【００１４】
ヘッドボトム２４は、背ボトム２５の上辺２５４側に連結されており、平面視が左右方向に長手の矩形をしている。より詳しくは、ヘッドボトム２４は、丸パイプ製の下辺２４１と、下辺２４１の左右両側に下端が取り付けられた丸パイプ製の左辺２４２及び右辺２４３と、左辺２４２及び右辺２４３の上端に連結された丸パイプ製のコーナー部２４４と、コーナー部２４４の上端内方間を連結している丸パイプ製の上辺２４５を有している。そして、ヘッドボトム２４は、左辺２４２及び右辺２４３の各下端部、並びに下辺２４１と背ボトム２５の上辺２５４との間に設けられた左右一対の連結部材３０によって、背ボトム２５に対して回動自在に連結されている。
【００１５】
さらに、背ボトム２５には、左右一対の補強部材３１が設けられている。各補強部材３１は、それぞれ、下端は背ボトム２５の下辺２５１に固着されており、上端は背ボトム２５の上辺２５４に固着されている。左右一対の補強部材３１は、矩形の背ボトム２５を横方向にほぼ３等分に３分割するように、左及び右に偏倚した位置に設けられている。補強部材３１は、一例として、断面視コ字状のチャネル材が用いられており、コ字状の開放面が、背ボトム２５の下面側を向くように取り付けられている。
【００１６】
ヘッドボトム２４にも、左右一対の補強部材３２が設けられている。各補強部材３２は、それぞれ、下端はヘッドボトム２４の下辺２４１に固着され、上端はヘッドボトム２４の上辺２４５に固着されている。左右一対の補強部材３２は、背ボトム２５に設けられた左右一対の補強部材３１の上方延長線上に位置するように設けられている。すなわち、左右一対の補強部材３１は、矩形のヘッドボトム２４を横方向にほぼ３等分に３分割するように、左及び右に偏倚した位置に設けられている。この実施形態では、補強部材３２は、一例として、角パイプ製とされている。しかし、背ボトム２５の補強部材３１と同様に、断面視コ字状のチャネル材で構成することもできる。
【００１７】
さらに、左右一対の持ち上げガイド部材３３が備えられている。持ち上げガイド部材３３は、長手直線状の本体３４及び本体３４の先端に取り付けられたリンク部材３５を含む。本体３４は、その後端が、背ボトム２５の補強部材３１の下端近傍に回動自在に連結されている。そして、本体３４は、補強部材３１と所定の角度θ（一例として、θ＝２３°〜２７°程度とされている。）をなし、補強部材３１の長さ方向に延びている。本体３４の先端側は、ヘッドボトム２４の補強部材３２の下面と対向している。そして、本体３４の先端には、本体３４の長手方向から交叉方向に延び出たリンク部材３５の一端が、回動自在に連結されている。リンク部材３５の他端は、補強部材３２の長さ方向中央部辺りと、回動自在に連結されている。
【００１８】
また、背ボトム２５の補強部材３１には、角度維持部材３６が設けられている。角度部材３６は、一例として、補強部材３１の先端寄りの位置に、補強部材３１から交叉方向に下面側へ突出するように設けられている。そして、角度維持部材３６の突出先端側には、ピンを通す為の孔３６１が形成されている。一方、補強部材３１と所定の角度θをなして延びる持ち上げガイド部材３３の本体３４には、角度維持部材３６の孔３６１に対向する位置に、ピンを通す為の孔３４１が形成されている。そして、これら２つの孔３６１，３４１を貫通するように、固定ピン３７が通されている。（図３を参照）
図３に示すように、この状態では、持ち上げガイド部材３３は、背ボトム２５及びヘッドボトム２４が側面視で真直ぐに延びるように、背ボトム２５及びヘッドボトム２４を保持している。
【００１９】
一方、図４に示すように、固定ピン３７を２つの孔３６１，３４１から外し、当該固定ピン３７を、一例として、本体３４に形成されたピン紛失防止孔３４２に差し込んだ状態にすれば、ガイド部材３３の本体３４は、補強部材３１との角度が狭まるように回動し得る。そして、これにより、背ボトム２５に対してヘッドボトム２４が所定の角度屈曲して、いわゆるヘッドアップした状態とすることができる。（図４を参照）
再び図３及び図４を参照して、ベッドフレーム１１の左側枠２１及び右側枠２２間には、回動支軸４１が配置されている。回動支軸４１は、背ボトム２５の下方に存在するように設けられている。回動支軸４１の両端は、左側枠２１及び右側枠２２にそれぞれ例えば溶接によって固着された受け金具４２によって回動自在に保持されている。
【００２０】
回動支軸４１には、垂直に突出する一対のアーム４３が設けられている。一対のアーム４３は、一対の持ち上げガイド部材３３に対向する位置、すなわち回動支軸４１をその長さ方向にほぼ３等分に分割する左及び右に偏倚した位置に設けられている。また、各アーム４３の先端には、当接部材としてのコロ４４が設けられている。よって、回動支軸４１が回動すると、一対のアーム４３の先端のコロ４４が一対の持ち上げガイド部材３３の本体３４とスムーズに当接し、本体３４を起立させるように動かす。
【００２１】
回動支軸４１には、さらに、リンク金具４５を介して、電動モータ４６が連結されている。電動モータ４６は、ベッドフレーム１１の所定の位置に取り付けられている。電動モータ４６が駆動されると、シリンダピストン４７が伸縮され、回動支軸４１が回動される。回動支軸４１の回動によって、一対のアーム４３の突出方向が回動し、アーム４３の先端のコロ４４と持ち上げガイド部材３３の本体３４との当接する位置が変化し、当接位置に応じて背ボトム２５の起立角度が変化する。
【００２２】
さらに、背ボトム２５が起立する際の動きがよりスムーズになるように、回動支軸４１と背ボトム２５の下辺２５１との間を連結するリンク金具４８が設けられている。
図５は、電動ベッド１０の動作、特に、背ボトム２５の起立動作と、ヘッドボトム２４の動作との関係を説明するための図解的な側面図である。
図５（Ａ）は、ヘッドボトム２４及び背ボトム２５が、左右側枠２１，２２に沿うように水平状態に寝ている状態の図解的な側面図である。図５（Ａ）に示すように、角度維持部材３６と持ち上げガイド部材３３の本体３４とが、固定ピン３７によって連結された状態において、モータ４６が駆動され、回動支軸４１が回動されたとする。
【００２３】
すると、回動支軸４１の回動に伴ってアーム４３が回動し、その先端のコロ４４が本体３４に沿って移動し、本体３４（すなわち持ち上げガイド部材３３）を立ち上げる。すると、持ち上げガイド部材３３が連結された背ボトム２５は、その下辺２５１を中心に起立方向へ立ち上がる。背ボトム２５と本体３４との角度θは、背ボトム２５の下面方向に突出する角度維持部材３６と本体３４とが固定ピン３７で固定されているため、変化することはない。それゆえ、アーム４３によって本体３４が立ち上げられると、背ボトム２５は、本体３４＋θの角度で立ち上がっていく。このとき、ヘッドボトム２４は、リンク部材３５を介して本体３４の先端と連結されているから、ヘッドボトム２４は背ボトム２５と直線状態を保ったまま、立ち上がっていく。（図５（Ｂ）を参照）
このように、固定ピン３７で角度維持部材３６と本体３４とを連結しておくことにより、背ボトム２５及びヘッドボトム２４を、側面視でまっすぐな直線状態に維持したまま、電動力で所望の角度に起立させたり、寝かせたりすることができる。
【００２４】
次に、図５（Ｃ）に示すように、ヘッドボトム２４及び背ボトム２５が、左右側枠２１，２２に沿うように水平状態に寝ている状態において、角度維持部材３６と持ち上げガイド部材の本体３４とを連結する固定ピン３７を外した状態とする。このとき、固定ピン３７は、一例として、本体３４のピン紛失防止孔３４２に差し込んでおく。
この状態において、モータ４６が駆動され、回動支軸４１が回動されたとする。
【００２５】
すると、回動支軸４１の回動に伴ってアーム４３が回動し、その先端のコロ４４が本体３４に沿って移動し、本体３４（すなわち持ち上げガイド部材３３）を立ち上げる。持ち上げガイド部材３３の立ち上げ初期においては、持ち上げガイド部材３３だけが立ち上がり、本体３４と背ボトム２５との角度θがθ＝０となるまで持ち上げガイド部材３３が回動する。そして、その後は、持ち上げガイド部材３３のさらなる回動と共に、持ち上げガイド部材３３と一緒に背ボトム２５が立ち上がっていく。
【００２６】
一方、ヘッドボトム２４は、持ち上げガイド部材３３だけが立ち上がる立ち上がり初期において、リンク部材３５によって下方から押し上げられ、連結部材３０を中心に背ボトム２５に対して角度θだけ折れ曲がり、ヘッドボトム２４のみがボトムアップしたヘッドアップ状態となる。一例として、θ＝２５°に設定されている場合、ヘッドボトム２４は背ボトム２５に対して２５°ヘッドアップした状態となる。
【００２７】
そして、その後は、ヘッドボトム２４はヘッドアップ状態のまま、背ボトム２５の立ち上がりに連動して立ち上がっていく。（図５（Ｄ）を参照）
立ち上げ動作から寝かし動作は、立ち上げ動作の逆の動作となる。
以上の通りであり、この実施形態に係る電動ベッド１０では、背ボトム２５を電動で起立させたり、寝かせたりする場合に、ヘッドボトム２４を、ヘッドアップ状態にするか、背ボトムと直線状をなすフラット状態とするかを、好みに応じて容易に選択することができる。
【００２８】
よって、使い勝手が良く、背ボトム２５を伏倒位置と起立位置とに電動力で変位させる際に、ヘッドボトム２４の態様を多様化した電動ベッド１０を提供できる。
この発明は、以上説明した実施形態に限定されるものではなく、請求項記載の範囲内で種々の変更が可能である。
【符号の説明】
【００２９】
１０    電動ベッド
１１    ベッドフレーム
１２    ヘッドボード
１３    フットボード
１４、１５    側枠板
１９    足側枠
２０    ベッド躯体
２１    左側枠
２２    右側枠
２３    頭側枠
２４    ヘッドボトム
２４１    下辺
２４２    左辺
２４３    右辺
２４４    コーナー部
２４５    上辺
２５    背ボトム
２５１    下辺
２５２    左側辺
２５３    右側辺
２５４    上辺
２５５    支軸
２６    腰ボトム
２７    足上ボトム
２８    足下ボトム
２９    受金具
３０    連結部材
３１、３２    補強部材
３３    持ち上げガイド部材
３４    本体
３４１    孔
３４２    ピン紛失防止孔
３５    リンク部材
３６    角度維持部材
３６１    孔
３７    固定ピン
４１    回動支軸
４２    受け金具
４３    アーム
４４    コロ
４５、４８    リンク金具
４６    電動モータ
４７    シリンダピストン
【図１】
2019080838.tif 000003
【図２】
2019080838.tif 000004
【図３】
2019080838.tif 000005
【図４】
2019080838.tif 000006
【図５】
2019080838.tif 000007